(57)【特許請求の範囲】
【請求項１】
箱型の筐体内に送風用ファン、ファン駆動用モータおよび熱交換器が収容され、吸込口から吸い込んだ空気を前記熱交換器で加熱もしくは冷却した後、吹出口から吹き出す室内機本体を備えた天井埋込形空気調和装置の室内機において、
前面と後面に送風用の開口を有し、かつ側面または下面の少なくとも一方に点検用の開口が設けられた、箱型のメンテナンスボックスの後端部を、前記吹出口が被さるように差し込み、ねじをねじ穴に螺合させることで取り付け、
かつ前記室内機本体の熱交換器と吹出口との間に加湿アセンブリを設置することを特徴とする天井埋込形空気調和装置の室内機。
【請求項２】
箱型の筐体内に送風用ファン、ファン駆動用モータおよび熱交換器が収容され、吸込口から吸い込んだ空気を前記熱交換器で加熱もしくは冷却した後、吹出口から吹き出す室内機本体を備えた天井埋込形空気調和装置の室内機において、
前記室内機本体の吹出口に、前面と後面に送風用の開口を有し、かつ側面または下面の少なくとも一方に点検用の開口が設けられた、箱型のメンテナンスボックスを取り付け、
かつ前記室内機本体の熱交換器と吹出口との間に加湿アセンブリを設置し、
前記加湿アセンブリの左右両端部は、前記メンテナンスボックスの左右の側面に固定された支持部材によって、着脱可能な状態で支持されていることを特徴とする天井埋込形空気調和装置の室内機。
【請求項３】
前記加湿アセンブリは、前記室内機本体の下部に設けられたドレンパンの上方に設置されていることを特徴とする、請求項１又は２に記載の天井埋込形空気調和装置の室内機。
【請求項４】
前記メンテナンスボックスの点検用の開口は、前記加湿アセンブリを取り出すことができる大きさと形状に加工されていることを特徴とする、請求項１ないし３のいずれかに記載の天井埋込形空気調和装置の室内機。
【請求項５】
前記加湿アセンブリは、
給水管から供給される水を溜めるタンクと、
高親水性素材で作製され、下端部が前記タンク内の水に接触した複数枚の加湿アセンブリと、
前記タンクを支持する下部フレームと、
前記下部フレームに固定され、前記複数枚の加湿エレメントを並列に並べた状態で保持する上部フレームと、を備えたことを特徴とする、請求項１ないし４のいずれかに記載の天井埋込形空気調和装置の室内機。
【請求項６】
前記メンテナンスボックスの前面の開口または前記側面のメンテナンス口が、ダクトが接続されたカバーで覆われていることを特徴とする、請求項１ないし５のいずれかに記載の天井埋込形空気調和装置の室内機。
【発明の詳細な説明】
【技術分野】
【０００１】
この発明は、天井裏に据え付けられる天井埋込形空気調和装置の室内機に関し、更に詳しくは、室内機への加湿アセンブリの取付構造に関するものである。
【背景技術】
【０００２】
図１０に従来の天井埋込形空気調和装置の室内機を示す。室内機１は、外箱１０内にファン２、モータ３および熱交換器４が収容されており、モータ３を駆動することによってファン２を回転させ、図示しない吸込口から吸い込んだ空気を熱交換器４で熱交換することによって、冷房や暖房を行うものである。
【０００３】
上述の室内機１において、暖房時の室内空気の湿度低下を防ぐために、オプションとして、特許文献１に記載されたような加湿アセンブリ１１を取り付ける場合がある。この加湿アセンブリ１１は、加湿エレメントの交換等のメンテナンスが必要である。
【０００４】
図１０に示すように、室内機１は天井裏天井6および天井７で挟まれた狭い空間に設置されている。加湿アセンブリ１１のメンテナンス（点検）を行う際には、作業員が天井７に設けられた室内機１近くの任意の位置にある点検口８を開け、室内機１の外箱１０の側面にあるメンテナンス口９にねじ等で固定されているメンテナンスカバー５を外す。その後、矢印で示すように、メンテナンス口９より加湿アセンブリ１１を側面方向に引き出して、室内機１から取り出さなければならない。
【先行技術文献】
【特許文献】
【０００５】
【特許文献１】特開平２−１４０５４０号公報
【発明の概要】
【発明が解決しようとする課題】
【０００６】
現在ではメンテナンス口９から加湿アセンブリ１１が取り出すことができる室内機においても、市場の要求や設置場所の制限により室内機本体の薄型化が進行しており、図１２の側面図に示すように、メンテナンス口９のとりうる大きさが制限され、メンテナンス口９から加湿アセンブリ１１を取り出すことが困難になりつつある。
【０００７】
また薄型化が進行すると、冷媒配管の取り回しスペースも制限されるため、メンテナンス口９からの加湿アセンブリ１１の取り出しはさらに困難になる。更に、室内機１の側面にしかメンテナンス口９がないため、室内機１の側面方向に十分なスペースを確保できない場合にも、加湿アセンブリ１１の取り出しが困難となる。
【０００８】
この発明は、薄型化により広いメンテナンス口の確保が困難になった室内機において、容易に取り出すことができる加湿アセンブリの取付構造を実現するものである。
【課題を解決するための手段】
【０００９】
この発明にかかる天井埋込形空気調和装置の室内機は、箱型の筐体内に送風用ファン、ファン駆動用モータおよび熱交換器が収容され、吸込口から吸い込んだ空気を前記熱交換器で加熱もしくは冷却した後、吹出口から吹き出す室内機本体を備えた天井埋込形空気調和装置の室内機において、
前面と後面に送風用の開口を有し、かつ側面または下面の少なくとも一方に点検用の開口が設けられた、箱型のメンテナンスボックスの後端部を、前記吹出口が被さるように差し込み、ねじをねじ穴に螺合させることで取り付け、かつ前記室内機本体の熱交換器と吹出口との間に加湿アセンブリを設置することを特徴とする。
【発明の効果】
【００１０】
この発明にかかる天井埋込形空気調和装置の室内機は、室内機本体の吹出口にメンテナンス用のボックスを取り付けたものであり、広いメンテナンス口を設けることができるため、加湿アセンブリの取出しが容易になる。さらに、加湿アセンブリの取り出しを室内機の側面から行う必要がないため、冷媒配管の取り回しの制限が少なくなる。
【図面の簡単な説明】
【００１１】
【図１】この発明の実施の形態１にかかる天井埋込形空気調和装置の室内機の構成を示す斜視図である。
【図２】図１のメンテナンスボックスを展開して示した斜視図である。
【図３】図２の一部を拡大して示した斜視図である。
【図４】図１の加湿アセンブリを展開して示した斜視図である。
【図５】図４の一部を拡大して示した斜視図である。
【図６】室内機本体とメンテナンスボックスを側面から見た断面図である。
【図７】加湿アセンブリの変形例を示す断面図である。
【図８】加湿アセンブリを室内機から取り出す際の過程を説明する図である。
【図９】この発明の実施の形態２にかかる天井埋込形空気調和装置の室内機のメンテナンスボックスの斜視図である。
【図１０】従来の天井埋込形空気調和装置の室内機の斜視図である。
【図１１】図１０の室内機の側面図である。
【図１２】図１１を薄型化した場合の側面図である。
【発明を実施するための形態】
【００１２】
実施の形態1．
図１に、この発明の実施の形態1にかかる天井埋込形空気調和装置の室内機の構成を示す。室内機１は、室内機本体１０、メンテナンスボックス３０および加湿アセンブリ５０で構成されている。なお図中、図１０に示す従来の室内機と同一の機能を有する部材には同一の符号を付している。
【００１３】
図１において、太い矢印は風の流れを示しており、ファン２によって図示しない吸込口から吸い込まれた空気は、熱交換器４を通り熱交換されて暖められる。その暖められた空気が、加湿アセンブリ５０の湿った加湿エレメント５１（図４参照）の間を通過することにより、加湿エレメント５１内の水分が気化され、加湿される。加湿された空気はメンテナンスボックス３０を通過し、図示しないダクトを通って吹出口から吹き出される。
【００１４】
この発明にかかる天井埋込形空気調和装置の室内機は、設置箇所である天井裏において、上下方向の制約に比べて水平方向の制約に余裕がある点を利用し、室内機本体１０の吹出口にメンテナンスボックス３０を取り付け、点検の際の加湿アセンブリ５０の取り外しおよび取り付けを、このメンテナンスボックス３０を介して行うようにしたものである。メンテナンスボックス３０には十分な大きさのメンテナンス口、すなわち点検用の開口を設けることができるため、作業が容易になる。
【００１５】
以下、メンテナンスボックス３０および加湿アセンブリ５０の構成と機能について、具体的に説明する。最初に、メンテナンスボックス３０について説明する。
【００１６】
図２にメンテナンスボックス３０を展開した状態を示す。メンテナンスボックス３０は、長方形状の板金を箱型に加工したものであり、前面および後面には、室内機から吹き出す空気を通過させる開口３１および３２が設けられている。またメンテナンスボックス３０の側面には点検用の開口であるメンテナンス口３３が設けられている。同様に、メンテナンスボックス３０の下面にもメンテナンス口３４が設けられている。
【００１７】
室内機本体１０の吹出口１２にはダクト接続用の複数のねじ穴１３が設けられている。メンテナンスボックス３０の後端部を、室内機本体１０の吹出口１２が被さるように差し込み、ねじ７１をねじ穴１３および３７に螺合させることにより、メンテナンスボックス３０を室内機本体１０に固定する。図示しないが、メンテナンスボックス３０の前面の開口３１はダクトの接続されたカバーで覆われている。
【００１８】
メンテナンスボックス３０の左右の側面に設けられたメンテナンス口３３は、メンテナンスを行わないときはメンテナンスカバー３５で閉じられている。図３に示すように、ボックス本体の側面に設けられたメンテナンス口３３の下方の左右に板金製のポケット３８が設けられている。このポケット３８に板金製のメンテナンスカバー３５の下端部を挿入し、上端部に設けられたネジ穴３７にねじ７２を螺合することにより、メンテナンス口３３は閉じられる。同様に、下面のメンテナンスカバー３６の四隅にもネジ穴３７が設けられており、この穴３７にねじ７２を螺合することによってメンテナンス口３４は閉じられる。
【００１９】
次に、加湿アセンブリ５０について説明する。図４に、加湿アセンブリ５０を展開した状態を示す。加湿アセンブリ５０は、加湿エレメント５１、板金製の下部フレーム５２および上部フレーム５３、タンク５４、電磁弁５５ならびにフロート５６を備えている。なお、表現を簡素化するため、加湿エレメント５１は一枚だけ示しているが、実際には、図１に示すように、必要加湿量により定まる枚数および形状の加湿エレメントを設置する。
【００２０】
タンク５４、電磁弁５５およびフロート５６は下部フレーム５２に固定されている。加湿エレメント５１は給水部５１１をタンクに差し込み、上部フレーム５３により、上部から固定する。給水管５８は、メンテナンスボックス３０の側面に設けた穴３９より挿入されている（図１参照）。給水管５９から供給された水は、電磁弁５５を通ってタンク５４に溜められる。
【００２１】
タンク５４内に目標水位まで水が溜まると、フロート５６のスイッチにより電磁弁５６が作動して、水の供給が止まる。タンク５４に貯められた水は、高親水性素材を用いた加湿エレメント５１によって吸い上げられ、一部は気化して空気中に、その他は室内機１のドレンパン１４に排水される（図６参照）。
【００２２】
加湿エレメント５１の固定方法について説明する。加湿エレメント５１の給水部５１１をタンク５４に差し込み、上部の切込部５１２に上部フレーム５３の折曲部５７を挿入する。このようにして複数枚の加湿エレメント５１は、上部フレーム５３により並列に並べられた状態で保持される。図４の点線の○で囲んだ部分を図５に拡大して示す。上部フレーム５３は、Ｕ字状に加工された下部フレーム５２の左右両端部のねじ穴５９にねじ７３を螺合することにより、下部フレーム５２に固定される。
【００２３】
下部フレーム５２は、加湿アセンブリ５０をメンテナンスボックス３０に固定し、加湿アセンブリ５０を室内機本体１０内の任意の位置に設置する役割を果たす。板金製の一対の支持部材４０は、加湿アセンブリ５０を取り外し可能な状態でメンテナンスボックス３０に取り付けるものであり、図１に示すように、スポット溶接等により、それぞれメンテナンスボックス３０の側面の後部内面に固定されている。支持部材４０の内側には、図５に示すように、上から板金を差し込めるポケット４１が形成され、そこに下部フレーム５２のＬ字状に加工された両端部６０を、一点鎖線の矢印で示すように上から差し込むことにより、加湿アセンブリ５０を室内機本体１０の所定の位置に設置することができる。
【００２４】
図６に、室内機本体１０とメンテナンスボックス３０を側面から見た断面図を示す。室内機本体１０の中央部には熱交換器４が斜めに設置され、その下方にドレンパン１４が設置されている。室内機本体１０の吹出口１３にメンテナンスボックス３０が取り付けられ、支持部材４０により、加湿アセンブリ５０が室内機１のドレンパン１４の上に設置されている。図中、一点鎖線の矢印はタンク５４からの水の流れを示している。
【００２５】
室内機本体１０のドレンパン１４上に加湿アセンブリ５０を設置することにより、メンテナンスボックス３０内に別途ドレンパンを設置する必要がなくなるため、メンテナンスボックス３０の下面にメンテナンス口３４を設けることができる。これにより、メンテナンスボックス３０の側面に加湿アセンブリ５０を引き抜くスペースのない場合でも、加湿アセンブリ５０を取り出し、点検することができる。側面のメンテナンス口３３についても、メンテナンスボックス３０内にドレンパンがないことから、底面に近いところまで広げることができる。
【００２６】
図７に、加湿アセンブリ５０の変形例を示す。加湿エレメント５１を通過した水が室内機１のドレンパン１４上に導水される条件を満たせば、加湿エレメント５１は、図７の斜線部５１３のように室内機１の外側に突き出ていてもよい。
【００２７】
次に、図８を参照して、点検のため、加湿アセンブリ５０を側面に設けたメンテナンス口３３から取り外す際の過程を説明する。最初に、図８（ａ）に示すように、図１に示す状態で室内機本体１０に設置された加湿アセンブリ５０の下部フレーム５２を作業者の手７０で上に持ち上げ、両端部に形成された折曲部６０を支持部材４０のポケット４１から外す（図５参照）。次に、図８（ｂ）に示すように、加湿アセンブリ５０をそのまま、メンテナンス口３３の横まで移動させる。そこから、図８（ｃ）に示すように、メンテナンス口３３から引き抜くことにより、加湿アセンブリ５０を取り出すことができる。
【００２８】
図８では、加湿アセンブリ５０をメンテナンスボックス３０の紙面に向かって左側の側面に設けたメンテナンス口３３から取り出す場合について説明したが、右側の側面に設けたメンテナンス口３３から取り出してもよい。同様に、下面のメンテナンスカバー３６を外して、下面のメンテナンス口３４から取り出してもよい。
【００２９】
加湿アセンブリ５０を左右のメンテナンス口３３から取り出すためには、メンテナンス口の大きさを加湿アセンブリ５０の前後方向の断面積より大きくし、形状も加湿アセンブリがスムーズに取り出せるものである必要がある。同様に、加湿アセンブリ５０を下面のメンテナンス口３４から取り出すためには、メンテナンス口の大きさを加湿アセンブリ５０の水平方向の断面積より大きくし、形状も加湿アセンブリがスムーズに取り出せるものである必要がある。
【００３０】
また、加湿アセンブリ５０は、取り出し作業を容易にするために、作業者の手が側面のメンテナンス口３３または下面のメンテナンス口３４より届く範囲に設置する必要がある。さらに、加湿アセンブリ５０を左右対称の構造とすれば、左右どちらのメンテナンス口３３からでも、下部フレーム５２を上に持ち上げてずらすだけで、加湿アセンブリ５０を支持部材４０から取り外すことができる。
【００３１】
加湿アセンブリ５０は室内機本体１０には固定されておらず、メンテナンスボックス３０に支持された状態で室内機本体１０内に設置されている。そのため、室内機本体１０の構造を変更する必要がないので、既に据え付けが完了している室内機にも取り付けることができる。また天井埋込形以外のユニットにも、室内機の吹出側にスペースがあり、吹出口にダクトを取り付けることができるユニットなら設置可能である。また、加湿アセンブリ５０の構造を変更した場合にも、室内機本体１０の構造を変更することなく、変更後の加湿アセンブリ５０を設置することができる。
【００３２】
実施の形態２．
図９に、この発明の実施の形態２におけるメンテナンスボックス３０ａを示す。図示した部分以外は実施の形態１の天井埋込形空気調和装置の室内機と同様であり、本実施の形態では、メンテナンスボックス３０ａが吹出分岐チャンバーを兼ねた形状をしている。メンテナンスボックス３０ａの吹出口を覆うカバー６１と側面のメンテナンスカバー３５に開口部６２が設けられ、その開口部６２に分岐ダクト６３が取り付けられている。
【００３３】
メンテナンスボックス３０ａの吹出口のカバー６１とメンテナンスカバー３５に分岐ダクト６３を取り付けることができる構造にすることで、メンテナンスボックス３０ａは吹出分岐チャンバーの役割も果たすことができる。また、側面のメンテナンス口３３についても、ダクト６３はフレキシブルであるため、メンテナンスカバー３５にダクト６３を付けたまま取り外すことができる。つまり、メンテナンスボックスとしての機能を維持したまま、分岐チャンバーとしての機能を付加することができる。
【符号の説明】
【００３４】
１  室内機
２  ファン
３  モータ
４  熱交換器
１０  室内機本体
１２  吹出口
１４  ドレンパン
３０  メンテナンスボックス
３１、３２  開口部
３３、３４  メンテナンス口
３５、３６  メンテナンスカバー
３８  固定用ポケット
４０  支持部材
４１  ポケット
５０  加湿アセンブリ
５１  加湿エレメント
５２  下部フレーム
５３  上部フレーム
５４  タンク
５５  電磁弁
５６  フロート
５７、６０  折曲部 
５８  給水管
６１  カバー
６３  ダクト
【図１】
0005693413.tif 000002
【図２】
0005693413.tif 000003
【図３】
0005693413.tif 000004
【図４】
0005693413.tif 000005
【図５】
0005693413.tif 000006
【図６】
0005693413.tif 000007
【図７】
0005693413.tif 000008
【図８】
0005693413.tif 000009
【図９】
0005693413.tif 000010
【図１０】
0005693413.tif 000011
【図１１】
0005693413.tif 000012
【図１２】
0005693413.tif 000013